(57)【要約】【課題】眼鏡枠に容易に装飾を施すことができ、且つ、その装飾を容易に変更することができる眼鏡枠を提供する。【解決手段】この眼鏡枠は、レンズのＬ１およびＬ２周縁に当接する当接部１２，１４と、当接部１２，１４に連結される智１６と、智１６に連接される蔓１８とを含み、智１６に着脱自在に固定され、智１６および当接部１２，１４の少なくとも一部を覆う装飾体本体３２を備えたことを特徴とする。  この発明によれば、智に着脱自在に固定され、智および当接部の少なくとも一部を覆う装飾体本体を備えているので、眼鏡枠に所望する装飾体を簡単に付与することができ、しかも装飾体を容易に取り替えることができ、使用者が希望するデザインの装飾体を適宜取り替えた眼鏡枠を得ることが可能となる。【選択図】図１
2006201701.tif 000002
【特許請求の範囲】
【請求項１】
レンズの周縁に当接する当接部と、
前記当接部に連結される智と、
前記智に連接される蔓とを含み、
前記智に着脱自在に固定され、前記智および当接部の少なくとも一部を覆う装飾体本体を備えた、
眼鏡枠。
【請求項２】
前記装飾体本体は、
前記智の外周面に対応した形状で、智を被覆する部分に穿設され、前記智の長手方向に沿って嵌合されるための嵌合溝を備え、
少なくとも前記嵌合溝の近傍が、前記智に着脱可能にするために弾力性を備えた、
請求項１に記載の眼鏡枠。
【発明の詳細な説明】
【技術分野】
【０００１】
この発明は、眼鏡枠に関し、特にたとえば、智周辺を装飾することができる眼鏡枠に関する。
【背景技術】
【０００２】
この発明の背景となる従来技術には、装飾部品台座に貴石類等を止め付けた装飾品、あるいは、貴金属等で作成された装飾品に固定部材を備え、固定部材のレンズ固定端にネジ穴を設けたレンズ止めを有する装飾部品を用いて、レンズのネジ穴に同一のネジで、ヨロイとともに装飾部品のレンズ止めが固定される構造とした飾り付きリムネス眼鏡枠があった。
この飾り付きリムネス眼鏡枠では、リムネス眼鏡枠に着脱が容易で取り付け強度の大きい装飾部品を得て、装飾部品の交換が可能で、装飾性に優れた眼鏡を提供することができた。
【特許文献１】実用新案登録第３０１５７３０号公報
【発明の開示】
【発明が解決しようとする課題】
【０００３】
しかしながら、前記飾り付きリムネス眼鏡枠では、リムネス眼鏡枠を構成するヨロイないしヨロイ一体化部品とともにレンズのネジ穴に同一のネジで固定される構造であるため、飾り付きリムネス眼鏡を得るためには、ヨロイないしヨロイ一体化部品をレンズに固定するとともにレンズのネジ穴にヨロイないしヨロイ一体化部品を取り付ける同一のネジで固定するという専門家の作業が必要となる構造である。そのために、この飾り付きリムネス眼鏡枠では一度飾り付きリムネス眼鏡を製作すれば、その眼鏡を使用する者が適宜装飾部品を取り替えることは容易に行うことができず、専門家の手を経ずにヨロイないしヨロイ一体化部品をレンズに付け替えたりすると、適正な視力を得られない眼鏡に変えてしまう恐れがある。
すなわち、この従来の飾り付きリムネス眼鏡枠では、特殊技術を有する専門家の手を得なければ、装飾部品の取替えは難しく、非常に手間のかかるものであった。
【０００４】
それゆえに、この発明の主たる目的は、眼鏡枠に容易に装飾を施すことができ、且つ、その装飾を容易に変更することができる眼鏡枠を提供することである。
【課題を解決するための手段】
【０００５】
この発明の請求項１にかかる眼鏡枠は、レンズの周縁に当接する当接部と、前記当接部に連結される智と、前記智に連接される蔓とを含み、前記智に着脱自在に固定され、前記智および当接部の少なくとも一部を覆う装飾体本体を備えた、眼鏡枠である。
この発明の請求項２にかかる眼鏡枠は、前記装飾体本体は、前記智の外周面に対応した形状で、智を被覆する部分に穿設され、前記智の長手方向に沿って嵌合されるための嵌合溝を備え、少なくとも前記嵌合溝の近傍が、前記智に着脱可能にするために弾力性を備えた、請求項１に記載の眼鏡枠である。
【発明の効果】
【０００６】
この発明によれば、智に着脱自在に固定され、智および当接部の少なくとも一部を覆う装飾体本体を備えているので、眼鏡枠に所望する装飾体を簡単に付与することができ、しかも装飾体を容易に取り替えることができ、使用者が希望するデザインの装飾体を適宜取り替えた眼鏡枠を得ることが可能となる。
請求項２の発明によれば、智に容易に装飾体を容易に取り付けることができ、且つ、容易に装飾体を取り替えることができる。
【発明を実施するための最良の形態】
【０００７】
図１は、この発明の一実施の形態である装飾体が固定された眼鏡枠を示す斜視図解図である。
図２は、図１に示す眼鏡枠の平面図解図である。
この眼鏡枠１０は、所定の玉型形状を有する左右一対の眼鏡レンズＬ１およびＬ２の周縁に当接する当接部を有する左右一対のリム１２およびリム１４と、前記リム１２およびリム１４に連接される智１６と、前記智１６に連接される蔓１８とを含む。
【０００８】
この眼鏡枠１０のリム１２およびリム１４と智１６とは、ステンレスなどの磁性体を含む金属材料または合成樹脂材料で形成される。
そして、左右一対のリム１２およびリム１４は、例えば断面円形で正面視円弧状のブリッジ２０により連接され、智１６は、リム１２およびリム１４のブリッジ２０とは反対側である両端部分において左右一対のリム１２およびリム１４の左右方向の外側に向けて突き出る平面視Ｌ字状に構成されている。
さらに、智１６には、ヒンジ部２２を介して蔓１８が開閉自在に連設されている。
【０００９】
この眼鏡枠１０は、前記レンズＬ１およびＬ２の周縁に当接する当接部たるリム１２およびリム１４の少なくとも一部を覆うために、前記智１６に着脱自在に固定される装飾体３０を備える。
装飾体３０は、前記智１６の蔓１８側から前記リム１２およびリム１４の智１６側の近傍に渡る形状であって、少なくとも、智１６の前側と、リム１２およびリム１４の智側の近傍すなわちレンズＬ１およびＬ２の周縁に当接する当接部とを被覆する形状を備えた、装飾体本体３２を含む。
この装飾体本体３２は、平面視二等辺三角形状に、セルロイド、アセテート等の弾性を有する熱可塑性合成樹脂により一体成形されてなるものである。
【００１０】
装飾体本体３２は、智１６の蔓１８側より智１６に連設されたリム１２およびリム１４の近傍に至るまで、智１６の前側全体とリム１２およびリム１４の智１６側とを被覆する形状を備えており、智１６の前側を覆う部位は、智１６の外周面に対応した形状で、前記智１６の長手方向に沿って嵌合されるための嵌合溝３４が形成されている。
嵌合溝３４は、断面略Ｕ字状で、リム１２およびリム１４側から蔓１８側にわたって智１６の前面を覆うように連続して形成されている。
そして、装飾体本体３２は、前記智１６に着脱可能にするために、少なくとも前記嵌合溝３４の近傍が弾力性を備え、かつ嵌合溝３４の開口部側が狭隘であり、装飾体３０を智１６へ着脱する時に僅かに開口部が拡開するように構成されている。
【００１１】
装飾体本体３２は、リム１２およびリム１４の智１６側近傍（すなわち当接部）に対応した形状に形成されている。この実施の形態においては、智１６側はやや細長く、リム１２およびリム１４側はそれより幅広に形成されている。
そして、装飾体本体３２は、リム１２およびリム１４を被覆する部位には、前記リム１２およびリム１４における智１６側に対応した断面Ｕ字状の溝３６が形成されている。
【００１２】
溝３６は、リム１２およびリム１４の智１６側、すなわちリム１２およびリム１４の左右の外周縁に沿った形状で、リム１２およびリム１４の智１６側近傍に添装されるように構成されている。
また、溝３６は、智１６に形成された嵌合溝３４を挟んで、上側溝３６ａと下側溝３６ｂとに分かれている。
【００１３】
溝３６の溝底には、マグネット片３８が埋め込まれている。
この実施の形態においては、マグネット片３８は、溝３６の上側溝３６ａと下側溝３６ｂとの両方に分かれて、上側溝３６ａに上側マグネット片３８ａがそして下側溝３６ｂに下側マグネット片３８ｂが埋め込まれている。
したがって、溝３６は、リム１２およびリム１４の智１６側の上側および下側近傍に添装され、且つ、マグネット片３８がリム１２およびリム１４に固着する。そのために、装飾体３０は、使用中にずれることなくかっちりと眼鏡枠１０に固定される。
【００１４】
前記実施の形態においては、装飾体３０が、平面視二等辺三角形状に、セルロイド、アセテート等の弾性を有する熱可塑性樹脂で一体成形されているので、装飾体３０は、装飾体本体３２の智１６側に形成された嵌合溝３４を智１６に着脱自在に嵌合して固定し、比較的かっちりと眼鏡枠１０の智１６に固定することができる。
しかしながら、智１６の形状によれば、嵌合溝３４を智１６の長手方向外側面に沿って嵌合できない場合もあるので、例えば、嵌合溝３４の智１６の上側面および下側面にかっちりと取り付けるためのマグネット片４０を、図３ないし７に示すように、上下一対に分けて、上側マグネット片４０ａと下側マグネット片４０ｂとを装飾体本体３２の嵌合溝３４における智１６に対向する面側に埋め込んでもよい。
このようにすれば、装飾体３０は、磁性体からなる智１６もしくは磁性体を含んだ智１６にマグネット片４０の作用により眼鏡枠１０にかっちりと固定することができ、且つ、眼鏡枠１０から装飾体３０の取り外しも比較的容易に行うことができる。
【００１５】
この発明は、前記実施の形態に限らず、この発明の思想に基づき種々変更することができる。
例えば、眼鏡枠１０は、前記実施の形態のように、左右一対のリム１２およびリム１４を備えるものではなく、図８ないし１０に示すようにいわゆるリムレス型の眼鏡枠としてもよい。
この眼鏡枠１１０は、平面視Ｌ字状の智１１６と前記智１１６に連設される蔓１１８とを備え、智１１６の上側に当接片１１２が連設され、且つ、智１１６の下側には当接片１１４が連設されている。そして、智１１６は、ヒンジ部１２２によって蔓１１８が開閉自在に連設されている。
【００１６】
眼鏡枠１１０には、レンズＬ１およびレンズＬ２が設けられるが、この実施の形態では、当接片１１２および当接片１１４は、所望の玉型形状のレンズＬ１およびレンズＬ２の左右端縁のやや上側に当接され、当接片１１２および当接片１１４とレンズＬ１およびレンズＬ２とが当接されて固定される。
【００１７】
レンズＬ１およびＬ２は、プラスチック材料ないしガラス材料等で形成される。
レンズＬ１およびＬ２は、レンズＬ１およびＬ２の端縁近傍に、例えば正面視円形のレンズ穴Ｌ３およびＬ４を有する。
レンズ穴Ｌ３およびＬ４は、レンズＬ１およびＬ２の一方主面から他方主面にかけて貫通するものである。レンズ穴Ｌ３およびＬ４は、レンズＬ１およびＬ２の左右端縁からレンズＬ１およびＬ２の中央側へ例えば３ミリ程度寄った位置に貫設される。
レンズ穴の穴径は、例えば２．０ミリメートルないし２．２ミリメートル程度に形成される。
【００１８】
レンズＬ１およびＬ２は、例えば断面円形で正面視円弧状のブリッジ１２０によって左右一対のレンズＬ１およびレンズＬ２が接続され、この実施の形態においては、智１１６とブリッジ１２０とは、レンズＬ１およびＬ２を固定するためのレンズ止め部材１２４が配設され、智１１６およびブリッジ１２０は、前記レンズ止め部材１２４によりレンズＬ１およびレンズＬ２に固定される。
【００１９】
レンズ止め部材１２４は、ベース貫通孔１２６ａを有する正面視円盤状のベース１２６を含む。
ベース１２６は、断面略Ｊ字型の支持片１２８により、ベース貫通孔１２６ａとレンズ穴Ｌ３およびレンズ穴Ｌ４とが対応する位置に支持される。
すなわち、支持片１２８の長さ方向の一端部には、ベース１２６が形成され、支持片１２８の長さ方向の他端部には、レンズＬ１およびＬ２の他端側面に当接され、レンズＬ１およびＬ２を他端側端から支持する当接片１１２および当接片１１４が形成される。
ベース１２６と支持片１２８と当接片１１２および当接片１１４と智１１６とは、例えばステンレスなどの磁性体からなる金属材料で一体的に形成される。
レンズＬ１およびＬ２とレンズ止め部材１２４とは、ベース貫通孔１２６ａとレンズ穴Ｌ３およびＬ４とに貫挿されたねじ部材１５０に、ねじ螺合部材１５２を螺合することにより止められる。
【００２０】
この眼鏡枠１１０は、前記レンズＬ１およびＬ２の周縁に当接する当接片１１２および当接片１１４の少なくとも一部を覆うために、前記智１１６に着脱自在に固定される装飾体１３０を備える。
装飾体１３０は、前記智１１６の蔓１１８側から前記当接片１１２および当接片１１４の智１１６側の近傍に渡る形状であって、少なくとも、智１１６の前側と、当接片１１２および当接片１１４の智側の近傍すなわちレンズの周縁に当接する当接部とを被覆する形状を備えた、装飾体本体１３２を含む。
この装飾体本体１３２は、平面視二等辺三角形状に、セルロイド、アセテート等の弾性を有する熱可塑性合成樹脂により一体成形されてなるものである。
【００２１】
装飾体本体１３２は、智１１６の蔓１１８側より智１１６に連設された当接片１１２および当接片１１４の近傍に至るまで、智１１６の前側全体と当接片１１２および当接片１１４の智１１６側とを被覆する形状を備えており、智１１６の前側を覆う部位は、智１１６の外周面に対応した形状で、前記智１１６の長手方向に沿って嵌合されるための嵌合溝１３４が形成されている。
嵌合溝１３４は、断面略Ｕ字状で、当接片１１２および当接片１１４側から蔓１１８側にわたって智１１６の前面を覆うように連続して形成されている。
そして、装飾体本体１３２は、前記智１１６に着脱可能にするために、少なくとも前記嵌合溝１３４の近傍が弾力性を備え、かつ嵌合溝１３４の開口部側が狭隘であり、装飾体１３０を智１１６へ着脱する時に僅かに開口部が拡開するように構成されている。
【００２２】
装飾体本体１３２は、当接片１１２および当接片１１４の智１１６側近傍（すなわち当接部）に対応した形状に形成されている。この実施の形態においては、智１１６側はやや細長く、当接片１１２および当接片１１４側はそれより幅広に形成されている。
そして、装飾体本体１３２は、当接片１１２および当接片１１４を被覆する部位には、前記当接片１１２および当接片１１４における智１１６側に対応した断面Ｕ字状の溝１３６が形成されている。
【００２３】
溝１３６は、当接片１１２および当接片１１４の智１１６側、すなわち当接片１１２および当接片１１４の左右の外周縁に沿った形状で、当接片１１２および当接片１１４の智１１６側近傍に添装されるように構成されている。
また、溝１３６は、智１１６側に形成された嵌合溝１３４を挟んで、上側溝１３６ａと下側溝１３６ｂとに分かれている。
【００２４】
溝１３６の溝底には、マグネット片１３８が埋め込まれている。
この実施の形態においては、マグネット片１３８は、溝１３６の上側溝１３６ａと下側溝１３６ｂとの両方に分かれて、上側溝１３６ａに上側マグネット片１３８ａがそして下側溝１３６ｂに下側マグネット片１３８ｂが埋め込まれている。
したがって、溝１３６は、当接片１１２および当接片１１４の智１１６側の上側および下側近傍に添装され、且つ、マグネット片１３８が当接片１１２および当接片１１４に固着する。そのために装飾体１３０は、使用中にずれることなくかっちりと眼鏡枠１１０に固定される。
【００２５】
なお、智１１６の形状によれば、嵌合溝１３４を智１１６の長手方向外側面に沿って嵌合できない場合もあるので、例えば、嵌合溝１３４の智１１６の上側面および下側面にかっちりと取り付けるためのマグネット片を、上下一対に分けて、上側マグネット片と下側マグネット片とを装飾体本体１３２の嵌合溝１３４における智１１６に対向する面側に埋め込んでもよい。
このようにすれば、装飾体１３０は、磁性体からなる智１１６もしくは磁性体を含んだ智１１６にマグネット片の作用により眼鏡枠１１０にかっちりと固定することができ、且つ、眼鏡枠１１０から装飾体１３０の取り外しも比較的容易に行うことができる。
【００２６】
前記実施の形態によれば、装飾体本体にマグネット片を設け、当接部及び智に磁性体を含むものとしたが、当接部及び智をマグネット粒またはマグネット片を含むものとし且つ装飾体本体を磁性体を含むものとしてもよい。
【００２７】
前記実施の形態によれば、装飾体本体の智側に、当接部の智側に対応した溝を備えているので、その溝部位を当接部の智側であって智の近傍に沿わせて装飾体本体を智に固定すれば、当接部に装飾体本体をかっちりと固定することができ、眼鏡枠の使用中に装飾体がずれることはなく、装飾体を最適な位置に常に固定することができる。
また、前記実施の形態によれば、当接部および／または智は磁性体を含み、前記当接部および／または智に当接される装飾体本体は一部にマグネット片が埋設されているので、装飾体本体を当接部および／または智に当接させれば、当接部および／または智にマグネット片の作用によりかっちりと固定することができる。そして、装飾体は、使用中に眼鏡枠とずれることなく常に最適な位置に固定され、且つ、眼鏡枠から取り外すときにも特別な道具などを必要とせず比較的簡単に取り外すことができる。そして、眼鏡枠の智の近傍を装飾体で装飾することができ、使用者が希望するデザインの装飾体で眼鏡枠を装飾することができ、必要に応じ使用者の希望するデザインの装飾体に容易に取り替えることができる。
【産業上の利用可能性】
【００２８】
本発明にかかる眼鏡枠は、縁無し眼鏡、縁有り眼鏡、鼻眼鏡、読書用眼鏡、サングラス、ローネット、モノクル等、種々の眼鏡枠に用いて好適なものである。
【図面の簡単な説明】
【００２９】
【図１】この発明の一実施の形態である装飾体が固定された眼鏡枠を示す斜視図解図である。
【図２】図１に示す眼鏡枠の平面図解図である。
【図３】この発明の一実施の形態である装飾体が固定された眼鏡枠を示す正背面図解図である。
【図４】装飾体を示す正面側斜視図解図である。
【図５】装飾体を示す背面側斜視図解図である。
【図６】図３図示眼鏡枠のＡ―Ａ断面図である。
【図７】図３図示眼鏡枠のＢ―Ｂ断面図である。
【図８】この発明の一実施の形態である装飾体が固定される前の眼鏡枠を示す斜視図である。
【図９】図８に示す眼鏡枠に装飾体を固定する方法を示す斜視図図解図である。
【図１０】装飾体の正面側を示す斜視図解図である。
【符号の説明】
【００３０】
Ｌ１，Ｌ２  レンズ
Ｌ３，Ｌ４  レンズ孔
１０，１１０  眼鏡枠
１２，１４  リム
１６，１１６  智
１８，１１８  蔓
２０，１２０  ブリッジ
２２，１２２  ヒンジ部
３０，１３０  装飾体
３２，１３２  装飾体本体
３４，１３４  嵌合溝
３６，１３６  溝
３６ａ，１３６ａ  上側溝
３６ｂ，１３６ｂ  下側溝
３８，４０，１３８  マグネット片
３８ａ，４０ａ，１３８ａ  上側マグネット片
３８ｂ，４０ｂ，１３８ｂ  下側マグネット片
１１２，１１４  当接片
１２４  レンズ止め部材
１２６  ベース
１２６ａ  ベース貫通孔
１２８  支持片
１５０  ねじ部材
１５２  ねじ螺合部材
【図１】
2006201701.tif 000003
【図２】
2006201701.tif 000004
【図３】
2006201701.tif 000005
【図４】
2006201701.tif 000006
【図５】
2006201701.tif 000007
【図６】
2006201701.tif 000008
【図７】
2006201701.tif 000009
【図８】
2006201701.tif 000010
【図９】
2006201701.tif 000011
【図１０】
2006201701.tif 000012
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
レンズの周縁に当接する当接部と、
前記当接部に連結される智と、
前記智に連接される蔓とを含み、
前記智に着脱自在に固定され、前記智および当接部の少なくとも一部を覆う装飾体本体を備え、
前記装飾体本体は、
前記智の外周面に対応した形状で、智を被覆する部分に穿設され、前記智の長手方向に沿って嵌合されるための嵌合溝を備え、
少なくとも前記嵌合溝の近傍が、前記智に着脱可能にするために弾力性を備えた、
眼鏡枠。
【請求項２】
前記装飾体本体は、
前記当接部の智側であって智の近傍に対応した形状を備え、且つ、前記智側に前記当接部の智側に対応した溝を備えた、
請求項１に記載の眼鏡枠。
【手続補正２】
【補正対象書類名】明細書
【補正対象項目名】０００５
【補正方法】変更
【補正の内容】
【０００５】
この発明の請求項１にかかる眼鏡枠は、レンズの周縁に当接する当接部と、前記当接部に連結される智と、前記智に連接される蔓とを含み、前記智に着脱自在に固定され、前記智および当接部の少なくとも一部を覆う装飾体本体を備え、前記装飾体本体は、前記智の外周面に対応した形状で、智を被覆する部分に穿設され、前記智の長手方向に沿って嵌合されるための嵌合溝を備え、少なくとも前記嵌合溝の近傍が、前記智に着脱可能にするために弾力性を備えた、眼鏡枠である。
この発明の請求項２にかかる眼鏡枠は、前記装飾体本体は、前記当接部の智側であって智の近傍に対応した形状を備え、且つ、前記智側に前記当接部の智側に対応した溝を備えた、請求項１に記載の眼鏡枠である。
【手続補正３】
【補正対象書類名】明細書
【補正対象項目名】０００６
【補正方法】変更
【補正の内容】
【０００６】
この発明によれば、智に着脱自在に固定され、智および当接部の少なくとも一部を覆う装飾体本体を備えているので、眼鏡枠に所望する装飾体を容易に取り付けることができ、しかも装飾体を容易に取り替えることができ、使用者が希望するデザインの装飾体を適宜取り替えた眼鏡枠を得ることが可能となる。